(57)【要約】      （修正有）【課題】ユーザ自身で背部或いは脚部を洗い流す手助けができるだけでなく、ユーザが入浴する際の枕とすることができる入浴補助用具を提供する。【解決手段】入浴補助用具１０は、台座２０と、台座２０の先端面２５に設けられる洗浄ボール３０と、台座２０を取付面に着脱可能に固定するために台座２０の底面２７に設けられる固定具５０と、洗浄ボール３０及び固定具５０を台座２０に固定する留め具４０とを備える。台座２０は、ポジショニング部２３及び係合部２１を有し、洗浄ボール３０の一部は台座２０のポジショニング部２３内に内設される。係合部は、着脱可能に他の入浴補助用具１０の台座２０と係合する。これにより、洗浄面積を拡大したり、或いは入浴時の枕としたりこともできる。また、洗浄ボール３０及び固定具５０が台座２０に強固に固定されているため、入浴補助用具１０がはずれにくい。【選択図】図１１
0003188307.tif 000002
【実用新案登録請求の範囲】
【請求項１】
先端面及び底面を有する台座と、
前記台座の前記先端面に設けられる洗浄ボールと、
前記台座を取付面に着脱可能に固定するために前記台座の前記底面に設けられる固定具と、
前記洗浄ボール及び前記固定具を前記台座に固定する留め具と、
を備える入浴補助用具であって、
前記台座は、ポジショニング部及び係合部を有し、
前記洗浄ボールの一部は、前記台座の前記ポジショニング部内に内設され、
前記係合部は、着脱可能に他の入浴補助用具の前記台座と係合することで洗浄面積を拡大することを特徴とする入浴補助用具。
【請求項２】
前記ポジショニング部には、突縁部および複数の突起が設けられ、
前記突縁部は、前記台座の中心に位置し、
各前記突起は、前記台座の前記先端面から前記洗浄ボールの方向に突出し円を描くように配されることを特徴とする請求項１に記載の入浴補助用具。
【請求項３】
前記突縁部には、ポジショニング孔および２つの貫通孔が設けられ、
前記ポジショニング孔は、前記台座の前記底面の中心に位置し、
前記貫通孔は、前記台座の前記先端面に位置し、且つ、前記ポジショニング孔と相互につながっており、
前記固定具は、前記ポジショニング孔に貫設される前端部及び後端部を有し、
前記前端部には、各前記貫通孔に相互につなげることで前記留め具が固定を行えるようにする相通孔が設けられることを特徴とする請求項２に記載の入浴補助用具。
【請求項４】
各前記突起は、それぞれ複数のポジショニングリブを有し、
各前記ポジショニングリブは、前記台座の中心位置より前記台座の外縁に向かう放射状に配列されることを特徴とする請求項２に記載の入浴補助用具。
【請求項５】
各前記ポジショニングリブの先端には、歯牙部が設けられることを特徴とする請求項４に記載の入浴補助用具。
【請求項６】
各前記ポジショニングリブの高さは、前記台座の中心位置より前記台座の外縁に向かうに従い大きくなることを特徴とする請求項５に記載の入浴補助用具。
【請求項７】
前記洗浄ボールは、筒状網体から形成されることを特徴とする請求項１に記載の入浴補助用具。
【請求項８】
前記台座の前記係合部は、前記台座上にある少なくとも１つの貫通孔及び前記貫通孔に対応する凸柱から構成されることを特徴とする請求項１に記載の入浴補助用具。
【請求項９】
前記凸柱は、ボディおよびヘッドを有し、
前記ボディは、前記貫通孔に貫設され、
前記ヘッドは、前記台座の前記底面を係止することを特徴とする請求項８に記載の入浴補助用具。
【請求項１０】
前記貫通孔および前記凸柱は、前記台座の辺縁に交互に、且つ、等間隔に配置されることを特徴とする請求項８に記載の入浴補助用具。
【考案の詳細な説明】
【技術分野】
【０００１】
本考案は、入浴する際に使用する入浴補助用具に関するものであって、ユーザ自身で背部或いは脚部を洗い流す手助けができるだけでなく、ユーザが入浴する際の枕とすることができる。
【背景技術】
【０００２】
従来、シャワーボールやスポンジ等の入浴補助用具が使われており、その多くは、ユーザが入浴補助用具を掴み、身体上を移動させることで洗浄する目的を達している。このような入浴補助用具では、ユーザ自身の背部を洗浄するのに不便である。また、脚部を洗浄するにあたって、洗浄したい脚部を高く上げる必要があり、バランスを保つためにユーザは片手で湿った壁面にもたれたり、片足で湿った床面に立ったりしなくてはならないため、転倒事故を引き起こす虞がある。
【先行技術文献】
【特許文献】
【０００３】
【特許文献１】米国特許第５，１７５，８９６号
【特許文献２】米国特許第７，５００，２８２号
【特許文献３】米国特許第６，３４３，７７４号
【考案の概要】
【考案が解決しようとする課題】
【０００４】
シャワーボールやスポンジを取っ手に固定し、ユーザがシャワーボールやスポンジ等が固定された取っ手を掴んで背部を洗浄し易くするようにした入浴補助用具が開発されている。確かにこの改良によって、従来の入浴補助用具では成しえなかったユーザの背部の洗浄という問題を解決したものの、やはり脚部の洗浄に関しては、洗浄したい脚部を上げなくてはならないため、お年寄り、幼児或いは肢体障害者にとっては不便なものである。
【０００５】
特許文献１において、台座と、台座の後方に設けられた複数の吸盤と、複数の各台座に突起した突起物とを含む浴室用アクセサリが開示されている。確かにこのような浴室用アクセサリは、浴室壁面に固定しユーザに背部の洗浄を提供できるものの、その大きさが固定しており、ユーザのニーズに従ってユーザに適切な洗浄面積を提供することができない。また、突起物の触感はあまり好ましくないため、ユーザが使用する際に不快感を与えている。
【０００６】
さらに、特許文献２において、ユーザに提供する洗浄面積を変化させる入浴補助用具が開示されているものの、突起物の設計には、不快感を与えるという問題点が存在している。また、当該先行技術は、台座の中央位置に吸盤を嵌合させるための固定溝が設けられているものの、吸盤は前端部分で固定溝に嵌合しているため、台座が吸盤と離れ易くなり、ユーザに不便をもたらすこととなる。
【０００７】
さらにまた、特許文献３において、複数のシャワーボールをロッドに直列に連結するボディ洗浄装置が開示されている。ボディ洗浄装置を壁面に設置する際、支持強度が足りず、且つシャワーボールがロッドに安定して固定されていないため、洗浄過程でずれてしまい易い。
【０００８】
本発明は、従来の入浴補助用具を鑑み、ユーザ自身で背部或いは脚部を洗い流す手助けができるだけでなく、ユーザが入浴する際の枕とすることができる入浴補助用具を提供することにある。
【課題を解決するための手段】
【０００９】
本考案の主な目的は、浴補助用具を提供することであって、本考案に係る入浴補助用具は、浴室の壁面或いは床面の適切な位置に着脱可能に固定されるだけでなく、ユーザが簡単に身体を動かすだけで容易に背部或いは脚部を洗浄することができるため、片手や片足でバランスを保つことで起きる危険を未然に防ぐことができ、尚且つ本考案に係る浴補助用具は本考案に係るもう一つの浴補助用具と一体的に着脱可能に結合することで、ユーザに提供する洗浄面積を増加させたり、入浴時の枕にしたりすることが可能となる。
【００１０】
上述の目的を達成するため、本考案による入浴補助用具は、台座と、洗浄ボールと、固定具と、留め具とを備える。台座は、先端面と、底面と、ポジショニング部と、係合部とを有する。洗浄ボールは、台座の先端面に設けられ、且つ、その一部が台座のポジショニング部内に内設される。係合部は、着脱可能に他の入浴補助用具の台座と接続することで、洗浄面積を拡大することができる。固定具は、台座が取付面に着脱可能に固定されるように、台座の底面に設けられる。留め具は、洗浄ボール及び固定具を台座に固定する。
【００１１】
ポジショニング部には、突縁部と複数の突起とが設けられる。突縁部は、台座の中心に位置する。各突起は、台座の先端面から洗浄ボールの方向に、突出し円を描くように配列される。
【００１２】
突縁部には、ポジショニング孔および２つの貫通孔が設けられる。ポジショニング孔は、台座の底面の中心に位置する。貫通孔は、台座の先端面に位置し、且つ、ポジショニング孔と相互につながっている。固定具は、ポジショニング孔に貫設する前端部及び後端部を有する。前端部には、各貫通孔に相互につなげることで留め具が固定を行えるようにする相通孔が設けられる。
【００１３】
各突起は、それぞれ複数のポジショニングリブを有する。各ポジショニングリブは、台座の中心位置より台座の外縁に向かう放射状に配列される。
各ポジショニングリブの先端には、歯牙部が設けられる。
各ポジショニングリブの高さは、台座の中心位置より台座の外縁に向かうに従い大きくなる。
【００１４】
洗浄ボールは、筒状網体から形成されている。
台座の係合部は、台座上にある少なくとも１つの貫通孔、及び、貫通孔に対応する凸柱を設けている。
凸柱は、ボディおよびヘッドを有する。ボディは、貫通孔に貫設される。ヘッドは、台座の底面を係止している。
貫通孔および凸柱は、台座の辺縁に交互に、且つ、等間隔に配置される。
【００１５】
これによって、本考案に係る入浴補助用具の構造が強固となり、且つ壁面或いは床面等のような取付面に着脱可能に固定されるため、ユーザは簡単な身体の移動によって背部或いは脚部の洗浄を容易に行うことができる。また、本考案に係る入浴補助用具は、他の入浴補助用具と着脱可能に結合することができるため、ユーザは自身のニーズに従い、洗浄面積を、拡大或いは減少することができる。さらにまた、入浴補助用具は、入浴時の枕とすることもできる。
【００１６】
なお、本考案の構成、特徴及びその目的を充分に理解してもらうため、後述する本考案のいくつかの実施形態を記載すると同時に、添付する図面を参照することで、当該技術分野に熟知した者は具体的にこれを実施することができるものであって、後述したものは、本考案の技術内容及び特徴を説明するための一例に過ぎず、本考案の技術分野において一般的技術知識を有する者であれば、本考案の技術内容及び特徴を理解した後、本考案の精神に逸脱せずに行ったさまざまな簡単な修正、容易な変化或いは部材の変化はすべて本考案が保護したい請求の範囲に属している。
【図面の簡単な説明】
【００１７】
【図１】本考案の第１実施形態が提供する入浴補助用具に係る台座のポジショニング部の一態様を表す断面図である。
【図２】本考案の第１実施形態が提供する入浴補助用具に係る各凸柱と各貫通孔との相対位置を表す平面図である。
【図３】図２で表された入浴補助用具と他の入浴補助用具とが一体的に結合する態様を表す模式図である。
【図４】本考案の第２実施形態が提供する入浴補助用具に係る台座のポジショニング部の一態様を表す断面図である。
【図５】図４で表された入浴補助用具ともう一つの入浴補助用具とが一体的に結合する態様を表す模式図である。
【図６】本考案の好ましいその他の実施形態が提供する入浴補助用具に係る台座のポジショニング部の一態様を表す断面図である。
【図７】本考案の好ましいその他の実施形態が提供する入浴補助用具に係る図６に類似した台座のポジショニング部の態様を表す断面図である。
【図８】本考案の好ましいその他の実施形態が提供する入浴補助用具に係る図６に類似した台座のポジショニング部の態様を表す断面図である。
【図９】図８の平面図である。
【図１０】図６で表された入浴補助用具と図８で表された入浴補助用具とが一体的に結合する態様を表す模式図である。
【図１１】本考案の第３実施形態が提供する入浴補助用具の断面図である。
【図１２】図１１の平面図である。
【図１３】本考案の第３実施形態が提供する入浴補助用具の異なる方向の断面図である。
【図１４】図１３で表された入浴補助用具ともう一つの入浴補助用具とが一体的に結合する態様を表す模式図である。
【考案を実施するための形態】
【００１８】
本考案の構成、特徴及びその効果を詳細に説明するため、好ましい実施形態を図面を参照しつつ説明を行う。
【００１９】
（第１実施形態）
まず、図１及び２を参照すると、本考案の第１実施形態が提供する入浴補助用具１０は、台座２０と、台座２０のそれぞれに設けられる洗浄ボール３０と、固定具５０とを備える。
【００２０】
台座２０は、本実施形態において、円盤状を呈している。台座２０の形状は、円盤状に限定されることはなく、三角形、正方形或いは任意の多角形であってもよい。また、台座２０は、台座２０に等間隔に設けられた３つの貫通孔２２と、台座２０に等間隔に設けられた貫通孔２２に相対する３つの凸柱２４と、から形成される係合部２１を有する。貫通孔２２と凸柱２４とは、台座２０の辺縁に隣接している。なお、貫通孔２２および凸柱２４の数は、３つに限定されることはない。
【００２１】
図１及び図２に示すように、台座２０の底面には、新月形の３つの窪み２２ａが形成される。また、台座２０の先端面にも、新月形の３つの窪み２４ａが形成される。各貫通孔２２は、台座２０の底面にある窪み２２ａの中心箇所を貫通する。各凸柱２４は、台座２０の先端面にある窪み２４ａの中心箇所に突出している。
【００２２】
次に、図６に示すように、台座２０の先端面の中央箇所には、ポジショニング部２３があり、台座２０の先端面より内側に凹んだ凹部２０１となる。ポジショニング部２３は、収納スペース２３１を有している。図３に示すように、２つの入浴補助用具１０を接続し、洗浄面積を増加できるように、台座２０の凸柱２４は、他の台座２０の各貫通孔２２に着脱可能に接続することができる。
【００２３】
洗浄ボール３０は、筒状網体から形成されており、たとえば、米国特許番号第６，６２３，０８５号、米国特許番号第５，７０９，４３４号、米国特許番号第５，７５８，３８６号で述べられているような方法で形成可能であるが、これに限定するものではない。組立てる際、洗浄ボール３０は、その一部が台座２０のポジショニング部２３内にある収納スペース２３１内に内設される。留め具４０が洗浄ボール３０及び台座２０に設けられた２つの貫通孔を貫通することで、洗浄ボール３０が台座２０に緊結且つ固定される。これによって、洗浄ボール３０は、台座２０に強固に固定され、洗浄の際に擦る方向によってずれたりすることがなくなる。
【００２４】
収納スペース２３１を有するポジショニング部２３は、図７に示す例では、台座２０の先端面の中央にある凹部２０１、及び、凹部２０１の周縁沿いから外側に突出した突出２０３で構成される。また、図８及び図９に示す例では、台座２０の先端面から並んで外側に突出した複数の凸部２０５で構成される。凸部２０５により囲まれてできた収納スペース２３１によって、洗浄ボール３０は、台座２０にさらに強固に固定される上、凸部２０５はマッサージ効果を有している。
【００２５】
固定具５０は、本実施形態において、弾性前端部５２及び後端部５４を有する吸盤である。吸盤は、弾性前端部５２が台座２０の中央にある貫通孔を貫通し係止され、洗浄ボール３０が設けられる側に相対するもう一つの側に後端部５４が位置することで、取付面に着脱可能に固定される。
【００２６】
上述部材の組み合わせから、本実施形態が提供する入浴補助用具１０は、固定具５０が例えば壁面或いは床面等の取付面に着脱可能に固定されることによって、洗浄ボール３０が壁面或いは床面等の取付面に着脱可能に固定されることに相当し、ユーザ自身の背部或いは脚部の洗浄を容易にしている。また、台座２０は、凸柱２４によって他の入浴補助用具１０の台座２０の貫通孔２２に着脱可能に結合するができるため、本実施形態の入浴補助用具が提供する洗浄面積を、拡大或いは減少することができる。さらにまた、拡大した本実施形態の入浴補助用具は入浴時の枕とすることもできる。
【００２７】
（第２実施形態）
続いて、図４および図５を参照すると、本考案の第２実施形態による入浴補助用具１０’は、第１実施形態と主に異なる点は、本実施形態において、台座２０’は正方形を呈する。台座２０’の係合部２１’は、台座２０’の辺縁より水平に外側に突出する複数の突出２６と、台座２０’の辺縁より水平に内側に凹み、突出２６と互いに係合する複数の凹部２８とから構成される。突出２６とこれら凹部２８は、互いに台座２０’の辺縁で交互に隣接しているため、係合部２１’を有する台座２０’は、本実施形態において、パズル形状を呈している。接続する際、台座２０’は、他の台座２０’の凹部２８に任意で突出２６を着脱可能に係合している。本実施形態が提供する入浴補助用具１０’は、前の一実施形態と同じ効果を達成できるだけでなく、台座２０’の辺縁より水平に外側に突出する突出２６と、該台座２０’の辺縁より水平に内側に凹み、突出２６と互いに係合する凹部２８とが形成されるため、図８で図示されているように、台座２０’同士の接続は、パズル同士の係合に同等し、方向性の制限がないため、高い実用性を有している。
【００２８】
第１実施形態の入浴補助用具１０の台座２０を他の台座２０に着脱可能に係合させる係合部２１、すなわち貫通孔２２および凸柱２４、或いは、第２実施形態の入浴補助用具１０’の台座２０’の係合部２１’、すなわち突出２６および凹部２８は、本考案の精神をより理解してもらうためのものであって本考案の請求の範囲を限定するものではない。したがって、係合部２１の構造設計を限定するものではなく、入浴補助用具１０、１０’の台座２０、２０’とその他の入浴補助用具の台座とを着脱可能に係合する係合部２１は本考案の範囲に属し、例えば、入浴補助用具の係合部は、台座上に設けた面ファスナーであってもよい。接続する際、入浴補助用具の台座上に設けられた面ファスナーのフック部と、他の入浴補助用具の台座に設けた面ファスナーのループ部とによって、台座を着脱可能にすることができる。
【００２９】
（第３実施形態）
続いて、図１１〜図１３を参照すると、本考案の第３実施形態による入浴補助用具１０は、台座２０と、洗浄ボール３０と、留め具４０と、固定具５０とを含む。台座２０は、弾性の材質により形成され、先端面２５と、底面２７と、ポジショニング部２３と、係合部２１とを有する。洗浄ボール３０は、筒状網体から形成され、台座２０の先端面２５に設けられる。また、洗浄ボール３０の一部は、台座のポジショニング部２３内に内設される。係合部２１は、着脱可能にもう一つの入浴補助用具１０の台座２０と接続することで、事実上提供する洗浄面積を拡大することができる。固定具５０は、台座２０を取付面に着脱可能に固定するように、台座２０の底面２７に設けられる。留め具４０は、洗浄ボール３０及び固定具５０を台座２０に固定する。
【００３０】
ポジショニング部２３は、複数の突起２３３と突縁部２３５とから構成される。各突起２３３は、台座２０の先端面２５から洗浄ボール３０の方向に突出し円を描くように配列される。各突起２３３は、それぞれ複数のポジショニングリブ２３７を有する。各ポジショニングリブ２３７の先端は、歯牙形状である。各ポジショニングリブ２３７は、台座２０の中心位置より該台座２０の外縁に向かって放射状の配列を呈する。各ポジショニングリブ２３７の高さは、台座２０の中心位置より台座２０の外縁に向かうに従って大きくなる。これにより、各ポジショニングリブ２３７は、弧状支持に近い方法で洗浄ボール３０を台座２０に強固に設置する。また、歯牙形状の各ポジショニングリブ２３７を利用することで、洗浄ボール３０の嵌め込みの滑り止め効果を向上させると同時に、各ポジショニングリブ２３７は弾性材質で形成されているため、マッサージ目的に用いることができる。
【００３１】
突縁部２３５は、台座２０の中心に位置する。突縁部２３５は、ポジショニング孔２１１および２つの貫通孔２１３が設けられる。ポジショニング孔２１１は、台座２０の底面２７の中心に位置する。貫通孔２１３は、台座２０の先端面２５に位置し、且つ、ポジショニング孔２１１と相互につながっている。
【００３２】
固定具５０は、ポジショニング孔２１１に貫設される前端部５２及び後端部５４を有する。前端部５２には、各貫通孔２１３に相互につなげることで留め具４０が固定を行えるようにする相通孔５２１が設けられる。後端部５４は、吸盤である。本実施形態では、留め具４０は、バンドであって、まずは台座２０の突縁部２３５の貫通孔２１３を貫通し、次に貫通孔２１３に沿ってポジショニング孔２１１まで移動するとともに、固定具５０の前端部５２の相通孔５２１を貫通した後、台座２０の突縁部２３５のもう一つの貫通孔２１３から貫出し、最後に洗浄ボール３０の中央位置を通り抜け、留め具４０の両端をつなぐ。これにより、洗浄ボール３０と固定具５０とは同時に留め具４０に制限され、それぞれ台座２０の先端面２５及び底面２７に強固に設置される。また、入浴補助用具１０を使用中或いは使用後であることを問わず、固定具５０は、台座２０が垂直方向の力を受けたり、ずれたりして台座２０のポジショニング孔２１１から外れることがないため、使用上の便利性及び安全性をさらに高めている。
【００３３】
図１３および図１４を再び参照すると、本実施形態は、入浴補助用具１０を便利且つ強固に組立てることで、ユーザの身体と接触する面積の拡大或いはユーザが入浴する際の枕として用いることができる。台座２０の係合部２１の構造は、台座２０上に少なくとも１つの貫通孔２２及び貫通孔２２に対応する凸柱２４が設けられる。貫通孔２２と凸柱２４とは、台座２０の辺縁に交互、且つ、等間隔に隣接して設けられる。本考案の好ましい実施形態において、台座２０の先端面２５は、３つの新月形の窪み２５ａが形成され、台座２０の底面２７にも、３つの新月形の窪み２７ａが形成される。貫通孔２２は、先端面にある窪み２５ａの中心箇所を貫通し、凸柱２４は、底面にある窪み２５ａの中心箇所に突出する。組立てる際、先端面２５の窪み２５ａは底面２７の窪み２７ａと係合することができる。凸柱２４は、ボディ２４１とヘッド２４３とを有する。ボディ２４１は、貫通孔２２が貫設される。ヘッド２４３は、台座２０の底面２７を係止する。また、凸柱２４のヘッド２４３の直径は、貫通孔２２の口径より大きい。貫通孔２２および凸柱２４は、ともに弾性材質で形成されているので、ユーザは少しの力で凸柱２４を貫通孔２２に圧入並びに貫通することで、容易且つ強固性に優れた組立てを達成する。また、凸柱２４のヘッド２４３の高さは、固定具５０の高さに近似しているため、ユーザが入浴補助用具１０に対して力を加えた際、凸柱２４は、取付面に支持を補助するものとして係合している。
【００３４】
以上をまとめると、本実施形態の入浴補助用具１０は、各ポジショニングリブ２３７が呈する弧状支持の構造によって、洗浄ボール３０が台座２０に強固に設けられる。さらに歯牙形状を利用した各ポジショニングリブ２３７と洗浄ボール３０との係合は、滑り止め効果を向上する。また、各ポジショニングリブ２３７は、弾性材質により形成されているため、使用上マッサージとして使うこともできる。また、洗浄ボール３０と固定具５０とは、同時に留め具４０に制限され、それぞれ台座２０の先端面２５及び底面２７に強固に設置される。また、入浴補助用具１０の使用中或いは使用後であることを問わず、固定具５０は、台座２０が垂直方向の力を受けたり、ずれたりして、台座２０のポジショニング孔２１１から外れることがないため、使用上の便利性及び安全性をさらに高めることができる。さらにまた、入浴補助用具１０の少なくとも１つの凸柱２４のボディ２４１は、他の入浴補助用具１０の貫通孔２２に貫設される。ヘッド２４３は、台座２０の底面２７を係止することで容易且つ強固な組立てを達成する。また、凸柱２４のヘッド２４３の高さは、固定具５０の高さに近似しているため、ユーザが入浴補助用具１０に対して力を加えた際、凸柱２４は取付面に支持を補助するものとして係合している。
【００３５】
以上の実施形態は、本考案の内容をより詳細に説明するだけに過ぎず、本考案を限定するものではなく、また、本考案の精神に基づくさまざまな変更及び修正は、本考案が請求する範囲に含まれている。
【符号の説明】
【００３６】
１０          入浴補助用具
２０、２０’  台座
２０１        凹部
２０３        突出
２０５        凸部
２０７        突縁部
２１          係合部
２２          貫通孔
２２ａ        窪み
２３          ポジショニング部
２３１        収納スペース
２３３        突起
２３５        突縁部
２３７        ポジショニングリブ
２４          凸柱
２４ａ        窪み
２５          先端面
２５ａ        窪み
２６          突出
２７          底面
２７ａ        窪み
２８          凹部
３０          洗浄ボール
４０          留め具
５０          固定具
５２          前端部
５２１        相通孔
５４          後端部
【図１】
0003188307.tif 000003
【図２】
0003188307.tif 000004
【図３】
0003188307.tif 000005
【図４】
0003188307.tif 000006
【図５】
0003188307.tif 000007
【図６】
0003188307.tif 000008
【図７】
0003188307.tif 000009
【図８】
0003188307.tif 000010
【図９】
0003188307.tif 000011
【図１０】
0003188307.tif 000012
【図１１】
0003188307.tif 000013
【図１２】
0003188307.tif 000014
【図１３】
0003188307.tif 000015
【図１４】
0003188307.tif 000016